(57)【要約】【課題】側面に凹凸を有することで、部分洗い可能な洗濯洗剤用容器を提供することが可能となる。【解決手段】洗濯洗剤用容器２０は、複数の第一洗浄凸部３２と、第一洗浄凸部と異なる形状及び大きさを有する第二洗浄凸部４２を有しているため、衣類の種類や形状、厚み、場所、汚れ度合い等によって第一洗浄凸部３２と第二洗浄凸部４２とを使い分けて洗浄することができる。言い換えると、衣類の生地の種類や形状、厚み、場所、汚れ度合い等によって最適な洗浄凸部を用いて衣類を洗濯することができる。【選択図】図１
2016175703.tif 000002
【特許請求の範囲】
【請求項１】
頂面に出入口を有する洗濯用洗剤を封入する洗濯洗剤用容器であって、
前記洗濯洗剤用容器の側面のうちの少なくとも一面に、衣類を洗浄可能な複数の洗浄凸部が備えられていることを特徴とする、
洗濯洗剤用容器。
【請求項２】
頂面に出入口を有する洗濯用洗剤を封入する洗濯洗剤用容器であって、
前記洗濯洗剤用容器の側面に衣類を洗浄可能な複数の洗浄凸部を備え、
前記洗浄凸部は、所定の間隔で配置された第一洗浄凸部と、前記第一洗浄凸部とは異なる形状又は大きさであって、所定の間隔で配置された第二洗浄凸部と、を有することを特徴とする、
洗濯洗剤用容器。
【請求項３】
頂面に出入口を有する洗濯洗剤を封入する洗濯洗剤用容器であって、
衣類を洗浄可能な複数の洗浄凸部を備え、
複数の前記洗浄凸部は、前記洗濯洗剤用容器の側面を一周する形状に形成されていることを特徴とする、
洗濯洗剤用容器。
【請求項４】
前記洗浄凸部の少なくとも一部は、前記側面の一端側から他端側に向かって前記頂面と略平行に盛り上がった凸部であることを特徴とする、
請求項１から３のいずれか１項に記載の洗濯洗剤用容器。
【請求項５】
複数の前記洗浄凸部の一部は、側面に球形の一部が突出した形状であることを特徴とする、
請求項１から４のいずれか１項に記載の洗濯洗剤用容器。
【請求項６】
前記洗浄凸部は、前記側面の各頂点近傍には設けられていないことを特徴とする、
請求項１から５のいずれか１項に記載の洗濯洗剤用容器。
【請求項７】
前記側面のうち、互いに向かい合う一対の側面は、前記頂面及び底面から遠ざかるにつれて、互いに近づく方向に湾曲していることを特徴とする、
請求項１から６のいずれか１項に記載の洗濯洗剤用容器。
【請求項８】
前記側面の少なくとも一部は、中心部が突出した球状に膨らんでいることを特徴とする、
請求項１から７のいずれか１項に記載の洗濯洗剤用容器。
【請求項９】
前記出入口は、内蓋と外蓋の２段の蓋によって封止されることを特徴とする、
請求項１から８のいずれか１項に記載の洗濯洗剤用容器。
【請求項１０】
前記出入口は、衣類を洗浄可能な複数の洗浄凸部が表面に設けられた洗濯補助部材が取り付け可能であることを特徴とする、
請求項１から９のいずれか１項に記載の洗濯洗剤用容器。
【発明の詳細な説明】
【技術分野】
【０００１】
本発明は、洗濯洗剤用容器に関する。
【背景技術】
【０００２】
従来、部分洗い用液体洗剤製品が知られている。例えば、特許文献１には、液体洗剤が充填された容器であって、この容器が容器本体と、その頂部に蓋部材とを有し、この蓋部材に、口径が０．４ｍｍ〜３．０ｍｍの注出孔と、その周囲に複数の刷毛とが形成され、液体洗剤が界面活性剤を５重量％〜６０重量％、キレート剤を０．１重量％〜１０重量％の範囲で含有し、粘度（２５℃）が０．０１Ｐ〜１００Ｐとされてなる部分洗い用液体洗剤製品が記載されている。この部分洗い用液体洗剤製品は、蓋部材に設けられた抽出孔より適量の液体洗剤を抽出し、その周囲に設けられた刷毛によって洗浄することで、刷掃効果に優れ、油汚れにも泥汚れにも共に洗浄効果が高い実用的な部分洗い用液体洗剤製品を提供することができる。
【先行技術文献】
【特許文献】
【０００３】
【特許文献１】特開平１０−５２３９２号公報
【発明の概要】
【発明が解決しようとする課題】
【０００４】
しかしながら、このような部分洗い用液体洗剤製品は、刷毛が蓋部材のみに設けられているため、ある程度の範囲を有する部分を洗浄するには、非常に手間がかかるという課題がある。また、この部分洗い用液体洗剤製品は、刷毛が蓋部材に設けられているため、衣類等の極めて狭い範囲に対する部分洗いは可能であるが、襟部分や肘部分、膝部分等の汚れが集中し易いある程度の範囲の部分を洗うことは困難であるという課題がある。
【０００５】
本発明はこの課題に鑑みなされたものであり、比較的広範囲な部分であっても、部分洗いが可能な洗濯洗剤用容器を提供することを主目的とする。
【課題を解決するための手段】
【０００６】
本発明は、上述の主目的を達成するために以下の手段を採った。
【０００７】
本発明の洗濯洗剤用容器は、
頂面に出入口を有する洗濯用洗剤を封入する洗濯洗剤用容器であって、
前記洗濯洗剤用容器の側面のうちの少なくとも一面に、衣類を洗浄可能な複数の洗浄凸部が備えられていることを特徴とする、
ものである。
【０００８】
この洗濯洗剤用容器は、側面のうちの少なくとも一面に洗浄凸部が設けられているため、洗濯洗剤用容器の一部にのみ設けられている場合と比較して、より容易に衣類を洗濯することができる。特に、本発明の洗濯洗剤用容器は、容器として積置面に積置可能であるため、本発明の洗濯洗剤用容器を積置面に積置した状態で、衣類の所望の位置を押圧することができる。こうすることにより、例えば、ズボンの内側の膝裏部分に積置したり、靴下のつま先部分に挿入したりすることにより、洗濯洗剤用容器にズボンや靴下等の衣類を押圧して使用することもできる。言い換えると、洗濯洗剤用容器を衣類の内側から押圧することができるため、洗濯洗剤用容器以外のいかなるものも必要とすること無く、どんな場所であっても、もみ洗いや叩き洗いがし易い。
【０００９】
本発明の洗濯洗剤用容器は、
頂面に出入口を有する洗濯用洗剤を封入する洗濯洗剤用容器であって、
前記洗濯洗剤用容器の側面に衣類を洗浄可能な複数の洗浄凸部を備え、
前記洗浄凸部は、所定の間隔で配置された第一洗浄凸部と、前記第一洗浄凸部とは異なる形状又は大きさであって、所定の間隔で配置された第二洗浄凸部と、を有することを特徴とする、
ものである。
【００１０】
この洗濯洗剤用容器は、所定の間隔に形成された第一洗浄凸部と、第一洗浄凸部とは異なる形状又は大きさであって、所定の間隔に形成された第二洗浄凸部と、が側面に備えられているため、洗濯洗剤用容器の側面と衣類とを互いに押圧して洗濯する際、衣類の生地の種類や形状、厚み、場所、汚れ度合い等によって第一洗浄凸部と第二洗浄凸部とを使い分けて洗浄することができる。言い換えると、衣類の生地の種類や形状、厚み、場所、汚れ度合い等によって最適な洗浄凸部を用いて衣類を洗濯することができる。加えて、第一洗浄凸部及び第二洗浄凸部は、側面に設けられているため、洗濯洗剤用容器の蓋部や頂面に設けられている場合と比較して、広範囲な部分を用いて衣類を洗濯することができる。なお、ここで「側面」とは、洗濯洗剤用容器を積置した際、底面及び頂面を除く四面を意味する。
【００１１】
本発明の洗濯洗剤用容器は、
頂面に出入口を有する洗濯洗剤を封入する洗濯洗剤用容器であって、
衣類を洗浄可能な複数の洗浄凸部を備え、
複数の前記洗浄凸部は、前記洗濯洗剤用容器の側面を一周する形状に形成されていることを特徴とする、
ものである。
【００１２】
この洗濯洗剤用容器は、側面を一周する形状に洗浄凸部が設けられているため、洗濯洗剤用容器と衣類とを互いに押圧して洗濯する際、四方側面のいずれ側であっても洗浄凸部と衣類とが押圧されることになるため、洗濯しやすい。
【００１３】
本発明の洗濯洗剤用容器において、前記洗浄凸部の少なくとも一部は、前記側面の一端側から他端側に向かって前記頂面と略平行に盛り上がった凸部であることを特徴としてもよい。こうすれば、洗濯洗剤用容器と衣類とを互いに押圧した状態で、洗濯洗剤用容器又は衣類のいずれかを頂面から底面方向又は底面から頂面方向に動かすことにより、複数の洗浄凸部が衣類を連続して押圧することになるため、もみ洗いに適する。
【００１４】
本発明の洗濯洗剤用容器において、複数の前記洗浄凸部の一部は、側面に球形の一部が突出した形状であることを特徴としてもよい。こうすることにより、叩き洗いに適する。
【００１５】
本発明の洗濯洗剤用容器において、前記洗浄凸部は、前記側面の各頂点近傍には設けられていないことを特徴としてもよい。こうすることにより、洗濯洗剤用容器と衣類とを互いに強く押圧しても、洗濯洗剤用容器が大きく変形する可能性を低減することができるため、洗濯洗剤用容器の表面を衣類に押圧して衣類を洗濯している際、洗濯洗剤用容器に封入された洗濯洗剤が外に出る可能性を低減することができる。
【００１６】
本発明の洗濯洗剤用容器において、前記側面のうち、互いに向かい合う一対の側面は、前記頂面及び底面から遠ざかるにつれて、互いに近づく方向に湾曲していることを特徴としても良い。こうすれば、積置した洗濯洗剤用容器に襟や袖等の衣類の湾曲した部分を押圧し易い。また、洗濯洗剤用容器を持つ際に、この湾曲した部分を持つことで、洗濯洗剤用容器を持ちやすい。
【００１７】
本発明の洗濯洗剤用容器において、前記側面の少なくとも一部は、中心部が突出した球状に膨らんでいることを特徴としてもよい。こうすれば、積置した洗濯洗剤用容器の側面に衣類を押圧した際、球状に膨らんだ中心部に力が集中するため、汚れの度合いが大きい場合であっても、球状に膨らんだ中心部を用いることで、容易に強く洗うことができる。
【００１８】
本発明の洗濯洗剤用容器において、前記出入口は、内蓋と外蓋の２段の蓋によって封止されることを特徴としてもよい。こうすれば、洗濯洗剤用容器と衣類とを押圧し、激しく動かした場合であっても、洗濯洗剤用容器の中に封入された洗濯洗剤が容器の外に飛散する可能性を未然に低減することができる。
【００１９】
本発明の洗濯洗剤用容器において、前記出入口は、衣類を洗浄可能な複数の洗浄凸部が表面に設けられた洗濯補助部材が取り付け可能であることを特徴としてもよい。こうすれば、衣類を洗濯する際、洗濯洗剤用容器と洗濯補助部材とで衣類をはさむことで、より洗浄効果を高めることができる。また、洗濯補助部材を収納する際には、洗濯補助部材を洗濯洗剤用容器の出入口に取り付けることで、洗濯洗剤用容器と洗濯補助部材とを一体として保管することができる。
【図面の簡単な説明】
【００２０】
【図１】図１は、洗濯洗剤用容器２０の構成の概略を示す説明図である。
【図２】図２は、洗濯補助部材９０の構成の概略及びバリエーションを示す側面図である。
【図３】図３は、他の実施の形態の洗濯洗剤用容器１２０の構成の概略を示す説明図である。
【図４】図４は、他の実施の形態の洗濯洗剤用容器２２０の構成の概略を示す説明図である。
【図５】図５は、他の実施の形態の洗濯洗剤用容器３２０の構成の概略を示す説明図である。
【図６】図６は、他の実施の形態の洗濯洗剤用容器４２０の構成の概略を示す説明図である。
【図７】図７は、他の実施の形態の洗濯洗剤用容器５２０の構成の概略を示す説明図である。
【図８】図８は、他の実施の形態の洗濯洗剤用容器６２０の構成の概略を示す説明図である。
【図９】図９は、他の実施の形態の洗濯洗剤用容器７２０の構成の概略を示す説明図である。
【発明を実施するための形態】
【００２１】
次に、本発明の実施の形態の一例として、洗濯洗剤用容器２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。また、洗濯洗剤用容器２０の使用方法の一例を示すことで、本発明の洗濯洗剤用容器の使用方法の一例も明らかにする。なお、以下の説明において、洗浄凸部の幅とは、長柄状に形成された洗浄凸部において、長柄方向に対して垂直な方向の長さを意味する。
【００２２】
本発明の実施の形態の一例である洗濯洗剤用容器２０は、図１に示すように、主に、上部に球状部位３１を有し、中央部に第一洗浄凸部３２を有し、下部に凹部３４を有する正面３０と、第二洗浄凸部４２を有する右側面４０と、第三洗浄凸部５２を有する左側面５０と、上部に第四洗浄凸部６２を有し下部に第五洗浄凸部６４を有する背面６０と、出入口７２を有す頂面７０と、底面８０と、からなる。この洗濯洗剤用容器２０は、それぞれの面によって大きさ又は形状の異なる２種類以上の洗浄凸部を有するため、もみ洗い、たたき洗い、こすり洗いを可能とし、部分的に汚れた衣類の汚れを、効果的、かつ、迅速に落とすことができる。
【００２３】
洗濯洗剤用容器２０は、例えば、出入口７２から底面８０までの高さが概ね１８０ミリメートル程度、右側面４０から左側面５０までの幅が概ね７０ミリメートル程度、正面３０から背面６０までの厚さが概ね４０ミリメートル程度に形成された中空の樹脂性容器であり、中空部には洗濯洗剤が封入可能である。このように、洗濯洗剤用容器２０の大きさを片手でも持ちやすい大きさにすることで、衣類にある袖の内側、ズボンの中側、ポケットの中側、くつ下、ストッキングの内側、つま先、かかと部分等の筒状又は袋状の内側部に片手で持って挿入しやすい。こうすることにより、衣類の汚れた部分を表面側、裏面側の両面から洗濯洗剤用容器２０の形状を用いて、もみ洗い、たたき洗い、こすり洗いを行うことができる。また、洗濯機のない場所であっても、衣類の汚れに洗剤を付けて、容易にすばやく洗濯作業を行うことができる。なお、洗濯洗剤用容器２０の材質としては、ポリエチレンテレフタレートや塩化ビニル等であってもよいし、柔軟性に富む樹脂である、ポリエチレンやポリプロピレン、エラストマー等であってもよい。
【００２４】
洗濯洗剤用容器２０の頂面７０は、図１に示すように、円柱形状の出入口７２を有し、出入口７２の側面には、らせん状の凸部が設けられている。この洗濯洗剤用容器２０に洗剤を入れた後、図示しない内蓋を出入口７２の内側に嵌め込み、次に、図示しない外蓋をらせん状の凸部に螺合することにより、洗濯洗剤を封入することができる。このように、内蓋と外蓋を設けることにより、洗濯洗剤用容器２０内の洗剤が、洗濯洗剤用容器２０を用いて衣類を洗っている際に、外にこぼれることを未然に防止することができる。
【００２５】
洗濯洗剤用容器２０の正面３０は、上部に球状部位３１が、下部に凹部３４が、それぞれ設けられている。また、中央部は両側面が互いに近づく方向に湾曲しており、両側面の間には第一洗浄凸部３２が設けられている。球状部位３１は、略球形の一部が表面方向に突出した形状であり、球状部位３１の表面には、複数の球面洗浄凸部３３が等間隔に設けられている。この球面洗浄凸部３３は、頂点が丸みを有する略三角形形状の断面を有する長柄状の三角柱形状であり、三角柱の長柄方向が底面８０と略平行となるように設けられている。このため、衣類に洗濯洗剤用容器２０の正面３０を押圧した状態で頂面７０方向又は底面８０方向に動かすと、球面洗浄凸部３３の頂点が規則的に衣類を押圧することになり、容易に衣類の一部分をこすり洗いすることができる。このとき、球面洗浄凸部３３は略球形に突出する球状部位３１に設けられているため、球面洗浄凸部３３の球状部位３１の頂点付近が最も強く衣類に押圧されることになる。このため、力が球面洗浄凸部３３の球状部位３１の頂点付近に集中することとなり、少ない労力で衣類の一点を洗濯することができる。また、第一洗浄凸部３２は、正面３０の中央部に設けられ、頂点が丸みを有する略三角形形状の断面を有する長柄状の三角柱形状であり、三角柱の長柄方向が底面８０と略平行となるように設けられている。このため、衣類に洗濯洗剤用容器２０の正面３０を押圧した状態で頂面７０方向又は底面８０方向に動かすと、第一洗浄凸部３２の頂点が規則的に衣類を押圧することになり、容易に衣類の一部分をこすり洗いすることができる。更に、正面３０の下部には、略矩形形状に内側方向に凹んだ凹部３４が設けられている。このように、洗浄凸部を有しない部分を正面３０に設けることにより、例えば、内容物を記載した成分表等を含むラベルを正面に貼着することができる。このとき、凹部３４は内側方向に凹んでいるため、ラベルを貼着した状態で洗濯洗剤用容器２０を衣類に押圧して動かしたとしても、ラベルの側面が衣類等に当たる可能性を未然に防止することができるため、ラベルが剥がれる可能性を未然に低減することができる。
【００２６】
洗濯洗剤用容器２０の右側面４０は、頂面７０側から底面８０側まで、頂点が丸みを有する略三角形形状の断面を有する長柄状の三角柱形状の第二洗浄凸部４２が設けられており、中央部は両側面が互いに近づく方向に湾曲している。このように、第二洗浄凸部４２が中央部の湾曲面に設けられているため、衣類の襟や袖等の湾曲に沿って、この湾曲を押圧することで汚れを落としやすい。更に、側面を持つ際には、持ちやすく滑りにくい。この第二洗浄凸部４２は、三角柱の長柄方向が底面８０と略平行となるように略同一の間隔で設けられている。このため、衣類に洗濯洗剤用容器２０の正面３０を押圧した状態で頂面７０方向又は底面８０方向に動かすと、第二洗浄凸部４２の頂点が規則的に衣類を押圧することになり、容易に衣類の一部分をこすり洗いすることができる。このとき、右側面４０は正面３０の幅と比較して幅が狭いため、第二洗浄凸部４２の長柄方向の長さは、第一洗浄凸部３２の長柄方向の長さよりも短くなる。加えて。第一洗浄凸部３２と比較して幅が狭く形成されているため、同じ力で洗濯洗剤用容器２０を衣類に押圧した場合であっても、正面３０で押圧する場合と比較して、右側面４０で押圧した場合の方が、同じ力で押圧した場合であっても強く押圧されることになり、非力な女性が使用した場合であっても、頑固な汚れを落とすことができる。
【００２７】
洗濯洗剤用容器２０の左側面５０は、頂面７０側から底面８０側まで、頂点が丸みを有する略三角形形状の断面を有する長柄状の三角柱形状の第三洗浄凸部５２が設けられており、中央部は両側面が互いに近づく方向に湾曲している。このように、第三洗浄凸部５２が中央部の湾曲面に設けられているため、衣類の襟や袖等の湾曲に沿って、この湾曲を押圧することで汚れを落としやすい。更に、側面を持つ際には、持ちやすく滑りにくい。この第三洗浄凸部５２は、三角柱の長柄方向が底面８０と略平行となるように略同一の間隔で設けられている。このため、衣類に洗濯洗剤用容器２０の正面３０を押圧した状態で頂面７０方向又は底面８０方向に動かすと、第三洗浄凸部５２の頂点が規則的に衣類を押圧することになり、容易に衣類の一部分をこすり洗いすることができる。このとき、左側面５０は正面３０の幅と比較して幅が狭いため、第三洗浄凸部５２の長柄方向の長さは、第一洗浄凸部３２の長柄方向の長さよりも短くなる。加えて、第一洗浄凸部３２と比較して幅が狭く形成されていることに加え、第二洗浄凸部４２と比較して更に幅が狭く形成されているため、同じ力で洗濯洗剤用容器２０を衣類に押圧した場合であっても、正面３０及び右側面４０で押圧する場合と比較して、左側面５０で押圧した場合の方が、より強く押圧されることになり、非力な女性が使用した場合であっても、頑固な汚れを容易に落とすことができる。また、第三洗浄凸部５２と隣接する第三洗浄凸部５２との間隔は、第二洗浄凸部４２と隣接する第二洗浄凸部４２との間隔と比較して広いため、洗濯を行う際、第三洗浄凸部５２と第三洗浄凸部５２との間に洗剤や汚れが溜まってしまう可能性を未然に低減することができる。また、洗濯後も洗剤や汚れを容易に落とすことができるため、汚れ難い。
【００２８】
洗濯洗剤用容器２０の背面６０は、中央部が互いに近づく方向に湾曲し、上部に第四洗浄凸部６２が、下部に第五洗浄凸部６４が、それぞれ設けられている。第四洗浄凸部６２は頂面７０側から中央部に設けられており、第五洗浄凸部６４は、中央部から底面８０側に設けられている。この第四洗浄凸部６２及び第五洗浄凸部６４は、頂点が丸みを有する略三角形形状の断面を有する長柄状の三角柱形状に形成されている。第四洗浄凸部６２及び第五洗浄凸部６４は、三角柱の長柄方向が底面８０と略平行となるように略同一の間隔で設けられているため、衣類に洗濯洗剤用容器２０の背面６０を押圧した状態で頂面７０方向又は底面８０方向に動かすと、第四洗浄凸部６２の頂点及び第五洗浄凸部６４の頂点が規則的に衣類を押圧することになり、容易に衣類の一部分をこすり洗いすることができる。加えて、第五洗浄凸部６４は、第四洗浄凸部６２と比較して、より幅が細く、且つ、互いに隣接する第五洗浄凸部６４同士の間隔が互いに隣接する第四洗浄凸部６２同士の間隔と比較して、狭くなるように形成されている。このため、例えば、頂面７０側を衣類に押圧して洗濯をしているときに、汚れが落ちにくいと感じた場合には、底面８０側を衣類に押圧するように、衣類に押圧する押圧位置を変更するという簡単な動作で、洗い方を変更することができる。
【００２９】
以上詳述したように、洗濯洗剤用容器２０の側面側である、正面３０、右側面４０、左側面５０及び背面６０には、それぞれ洗浄凸部である、球面洗浄凸部３３，第一洗浄凸部３２、第二洗浄凸部４２、第三洗浄凸部５２、第四洗浄凸部６２及び第五洗浄凸部６４が設けられており、これらの洗浄凸部が側面に占める割合は、７０％となるように、それぞれの洗浄凸部が設けられている。こうすることにより、衣類を洗濯する際に十分な洗浄凸部を形成しつつ、洗濯洗剤用容器２０の強度を保つことができる。言い換えると、衣類に洗濯洗剤用容器２０を押圧しても、洗濯洗剤用容器２０が潰れたり、内容物が流出したりする可能性を未然に低減することができる。また、この効果は、靴下のつま先部やズボンの膝裏部等に洗濯洗剤用容器２０を挿入した際、いずれの方向からも洗うことができるため、特に効果が大きい。
【００３０】
続いて、この洗濯洗剤用容器２０に取り付ける洗濯補助部材９０について、図２を用いて説明する。図２は、洗濯洗剤用容器２０に洗濯補助部材９０を取り付けた状態の構成の概略を示す正面図である。洗濯補助部材９０は、図２Ａに示すように、一方端側が開放された筒状の部材である胴体部９２と、胴体部９２の他方端側に設けられ、胴体部９２よりも大きな略円板形状の頂上部９４と、を備えている。この胴体部９２の内径は、洗濯洗剤用容器２０を封入する外蓋の外径と略同一となるように形成されており、外蓋に取り付け可能である。また、頂上部９４には、頂点が丸みを有する略三角形形状の断面を有する長柄状の三角柱形状の洗浄凸部９６が設けられている。この洗浄凸部９６は、三角柱の長柄方向が互いに略平行となるように略同一の間隔で設けられている。このため、衣類に頂上部９４を押圧した状態で衣類に沿って動かすことにより、洗浄凸部９６の頂点が規則的に衣類を押圧することになり、容易に衣類の一部分をこすり洗いすることができる。このとき、洗濯洗剤用容器２０のいずれかの側面と頂上部９４とで衣類を挟んだ状態で洗濯洗剤用容器２０又は洗濯補助部材９０を動かすことで、いずれか一方を動かす場合と比較して、高い洗浄力を得ることができる。なお、この洗濯補助部材９０は、外蓋の代わりとして用いてもよい。この場合であっても、洗濯洗剤用容器２０と容易に着脱が可能であり、かつ、一体として収納することができる。
【００３１】
ここで、洗濯補助部材９０の他の実施の形態の一例について、図２を用いて説明する。洗濯補助部材１９０は、図２Ｂに示すように、頂上部１９４の中心部が膨らんだ形状を有しており、表面に略球形の一部が突出した形状を有する洗浄凸部１９６が複数設けられている。また、洗濯補助部材２９０は、図２Ｃに示すように、略矩形形状の頂上部２９４を有し、四方側面に三角柱の長柄方向が互いに略平行となるように略同一の間隔で洗浄凸部２９６が設けられている。更に、洗濯補助部材３９０は、図２Ｄに示すように、略矩形形状の頂上部３９４を有し、頂上部３９４の四方側面のうちの対向する二側面には、
頂点が丸みを有する略三角形形状の断面を有する長柄状の三角柱形状に形成された洗浄凸部３９６が設けられており、四方側面のうちの他の対向する二側面には、略球形の一部が突出した形状を有する洗浄凸部３９８が設けられている。また、この洗浄凸部３９６は、三角柱の長柄方向が互いに略平行となるように略同一の間隔で設けられている。なお、洗浄凸部の形状はこれらに限定されるものではなく、上述した洗浄凸部のいずれかの形状に凹む凹部であってもよい。いずれの場合であっても、同様の効果が得られる。また、洗濯補助部材９０と同様の部分については、その説明を省略し、同一の符号を付した部材は、洗濯補助部材９０と同様の部材を意味するものとする。
【００３２】
次に、本発明の第二の実施の形態の一例として、洗濯洗剤用容器１２０について説明する。洗濯洗剤用容器１２０は、図３に示すように、主に、複数の第一洗浄凸部１３２を有する正面３０と、複数の第二洗浄凸部１４２を有する右側面４０と、複数の第三洗浄凸部１５２を有する左側面５０と、下部に複数の第四洗浄凸部１６２及び上部に複数の第五洗浄凸部１６４を有する背面６０と、出入口７２を有す頂面７０と、底面８０と、からなる。この洗濯洗剤用容器１２０は、それぞれの面に異なる洗浄凸部を有するため、もみ洗い、たたき洗い、こすり洗いを可能とし、部分的に汚れた衣類の汚れを、効果的、かつ、迅速に落とすことができる。なお、第一の実施の形態の一例である洗濯洗剤用容器２０と同様の部分については、同様の符号を付し、説明を省略する。
【００３３】
洗濯洗剤用容器１２０の正面３０は、上部に略球形の一部が表面方向に突出した形状を有しており、中央部は両側面が互いに近づく方向に湾曲しており、下部は底面８０に近づくにつれて正面３０と背面６０との幅が狭くなるように傾斜した形状に形成されている。また、頂面７０側から底面８０側まで、頂点が丸みを有する略三角形形状の断面を有する長柄状の三角柱形状の第一洗浄凸部１３２が設けられている。この第一洗浄凸部１３２は、三角柱の長柄方向が底面８０と略平行となるように略同一の間隔で設けられている。このため、衣類に洗濯洗剤用容器１２０の正面３０を押圧した状態で頂面７０方向又は底面８０方向に動かすと、第一洗浄凸部１３２の頂点が規則的に衣類を押圧することになり、容易に衣類の一部分をこすり洗いすることができる。加えて、上部が略球形の一部が表面方向に突出した形状を有しているため、正面３０を衣類に押圧した際、略球形の最も突出した部分に位置する第一洗浄凸部１３２が最も強く衣類に押圧されることになる。このため、力が第一洗浄凸部１３２の球状に膨らんだ頂上部付近に集中することとなり、少ない労力で衣類の一点を洗浄することができる。一方、下部は底面８０に近づくにつれて細くなるように形成されているため、使用後に洗濯洗剤用容器１２０を立て置いた場合には、第一洗浄凸部１３２と隣接する第一洗浄凸部１３２との間に付着した汚れや洗剤等が自然に流れ落ちることになるため、洗濯洗剤用容器１２０の側面に汚れが付着する可能性を未然に低減することができる。
【００３４】
洗濯洗剤用容器１２０の右側面４０は、頂面７０側から底面８０側まで、頂点が丸みを有する略三角形形状の断面を有する長柄状の三角柱形状の第二洗浄凸部１４２が設けられており、中央部は両側面が互いに近づく方向に湾曲している。このように、第二洗浄凸部１４２が中央部の湾曲面に設けられているため、衣類の襟や袖等の湾曲に沿って、この湾曲を押圧することで汚れを落としやすい。更に、側面を持つ際には、持ちやすく滑りにくい。この第二洗浄凸部１４２は、三角柱の長柄方向が底面８０と略平行となるように略同一の間隔で設けられている。このため、衣類に洗濯洗剤用容器１２０の右側面４０を押圧した状態で頂面７０方向又は底面８０方向に動かすと、第二洗浄凸部１４２の頂点が規則的に衣類を押圧することになり、容易に衣類の一部分をこすり洗いすることができる。このとき、右側面４０は正面３０の幅と比較して幅が狭いため、第二洗浄凸部１４２の長柄方向の長さは、第一洗浄凸部１３２の長柄方向の長さよりも短くなる。このため、同じ力で洗濯洗剤用容器１２０を衣類に押圧した場合であっても、正面３０で押圧する場合と比較して、右側面４０で押圧した場合の方が、同じ力で押圧した場合であっても強く押圧されることになり、非力な女性が使用した場合であっても、頑固な汚れを落とすことができる。
【００３５】
洗濯洗剤用容器１２０の左側面５０は、頂面７０側から底面８０側まで、頂点が丸みを有する略三角形形状の断面を有する長柄状の三角柱形状の第三洗浄凸部１５２が設けられており、中央部は両側面が互いに近づく方向に湾曲している。このように、第三洗浄凸部１５２が中央部の湾曲面に設けられているため、衣類の襟や袖等の湾曲に沿って、この湾曲を押圧することで汚れを落としやすい。更に、側面を持つ際には、持ちやすく滑りにくい。この第三洗浄凸部１５２は、三角柱の長柄方向が底面８０と略平行となるように略同一の間隔で設けられている。このため、衣類に洗濯洗剤用容器１２０の左側面５０を押圧した状態で頂面７０方向又は底面８０方向に動かすと、第三洗浄凸部１５２の頂点が規則的に衣類を押圧することになり、容易に衣類の一部分をこすり洗いすることができる。このとき、左側面５０は正面３０の幅と比較して幅が狭いため、第三洗浄凸部１５２の長柄方向の長さは、第一洗浄凸部１３２の長柄方向の長さよりも短くなる。加えて、第二洗浄凸部１４２と比較して幅が狭く形成されているため、同じ力で洗濯洗剤用容器１２０を衣類に押圧した場合であっても、正面３０及び右側面４０で押圧する場合と比較して、左側面５０で押圧した場合の方が、より強く押圧されることになり、非力な女性が使用した場合であっても、頑固な汚れを容易に落とすことができる。
【００３６】
洗濯洗剤用容器１２０の背面６０は、上部に略球形の一部が表面方向に突出した形状を有しており、中央部は両側面が互いに近づく方向に湾曲しており、下部は底面８０に近づくにつれて正面３０と背面６０との幅が狭くなるように傾斜した形状に形成されている。また、下部には、円弧形状の第四洗浄凸部１６２が同心円状に配置されており、この第四洗浄凸部１６２よりも頂面２０側には、第五洗浄凸部１６４が頂面７０側まで、略等間隔で設けられている。この第四洗浄凸部１６２及び第五洗浄凸部１６４は、いずれも頂点が丸みを有する略三角形形状の断面を有する長柄状の凸部である。このため、衣類に洗濯洗剤用容器１２０の背面６０を押圧した状態で頂面７０方向又は底面８０方向に動かすと、第四洗浄凸部１６２及び第五洗浄凸部１６４の頂点が規則的に衣類を押圧することになり、頂面７０側と底面８０側とで２種類の凸部によるこすり洗いをすることができる。加えて、押圧した際の力が第五洗浄凸部１６４の球状に膨らんだ頂上部付近に集中することとなり、少ない労力で衣類の一点を洗浄することができる。また、下部には、円弧形状の第四洗浄凸部１６２が同心円状に配置されているため、衣類に洗濯洗剤用容器１２０の背面６０を押圧した状態で動かす際、いずれの方向に動かした場合であっても、第四洗浄凸部１６２の側面が衣類を押圧することになるため、洗濯をする際に所望の方向に動かして洗濯することができる。また、もみ洗いだけでなく、叩き洗いしやすい。加えて、下部は底面８０に近づくにつれて細くなるように形成されているため、使用後に洗濯洗剤用容器１２０を立て置いた場合には、第四洗浄凸部１６２と隣接する第四洗浄凸部１６２との間及び第五洗浄凸部１６４と隣接する第五洗浄凸部１６４との間に付着した汚れや洗剤等が自然に流れ落ちることになるため、洗濯洗剤用容器１２０の側面に汚れが付着する可能性を未然に低減することができる。
【００３７】
なお、洗濯洗剤用容器１２０の頂面７０及び底面８０は、洗濯洗剤用容器２０と同様であるため、ここでは説明を省略する。
【００３８】
以上詳述したように、洗濯洗剤用容器１２０の側面側である、正面３０、右側面４０、左側面５０及び背面６０には、それぞれ洗浄凸部である、第一洗浄凸部１３２、第二洗浄凸部１４２、第三洗浄凸部１５２、第四洗浄凸部１６２及び第五洗浄凸部１６４が設けられており、これらの洗浄凸部が側面のそれぞれ全面にわたって設けられている。このため、洗浄凸部が側面に占める割合は、８０％となる。こうすることにより、衣類を洗濯する際に十分な洗浄凸部を形成しつつ、洗濯洗剤用容器１２０の強度を保つことができる。また、この効果は、靴下のつま先部やズボンの膝裏部等に洗濯洗剤用容器１２０を挿入した際、いずれの方向からも洗うことができるため、特に効果が大きい。
【００３９】
次に、本発明の第三の実施の形態の一例として、洗濯洗剤用容器２２０について説明する。洗濯洗剤用容器２２０は、図４に示すように、主に、上部に複数の円状洗浄凸部２３４を有し下部に複数の第一洗浄凸部２３２を有する正面３０と、複数の第二洗浄凸部２４２を有する右側面４０と、複数の第三洗浄凸部２５２を有する左側面５０と、上部に複数の球状洗浄凸部２６４を有し下部に複数の第四洗浄凸部２６２を有する背面６０と、出入口７２を有する頂面７０と、底面８０と、からなる。この洗濯洗剤用容器２２０は、それぞれの面に異なる洗浄凸部を有するため、もみ洗い、たたき洗い、こすり洗いを可能とし、部分的に汚れた衣類の汚れを、効果的、かつ、迅速に落とすことができる。なお、第一の実施の形態の一例である洗濯洗剤用容器２０と同様の部分については、同様の符号を付し、説明を省略する。
【００４０】
洗濯洗剤用容器２２０の正面３０は、上部に略球形の一部が表面方向に突出した形状を有しており、中央部は両側面が互いに近づく方向に湾曲している。また、下部には、中心が底面８０の方向に湾曲し、頂点が丸みを有する略三角形形状の断面を有する第一洗浄凸部２３２が、頂面７０側から底面８０側に向かって略等間隔に設けられており、上部には、頂点が丸みを有する略三角形形状の断面を有し、表面方向に突出した上部の中心から同心円状に略同一の間隔で円状洗浄凸部２３４が設けられている。このため、衣類に洗濯洗剤用容器２２０の正面３０を押圧した状態で頂面７０側から底面８０方向に動かすと、上部では、同心円状に設けられた円状洗浄凸部２３４によって衣類を揉むように洗濯することができ、下部では、外側方向に湾曲した第一洗浄凸部２３２によって外側方向に押圧されることになるため、汚れを外側方向に押し出す形となり、優れた洗浄効果を期待することができる。加えて、上部が略球形の一部が表面方向に突出した形状を有しているため、正面３０を衣類に押圧した際、略球形の最も突出した部分に位置する円状洗浄凸部２３４が最も強く衣類に押圧されることになる。このため、力が円状洗浄凸部２３４の球状部位の頂点付近に集中することとなり、少ない労力で衣類の一点を洗浄することができる。
【００４１】
洗濯洗剤用容器２２０の右側面４０は、頂面７０側から底面８０側まで、頂点が丸みを有する略三角形形状の断面を有する長柄状の三角柱形状の第二洗浄凸部２４２が設けられており、中央部は両側面が互いに近づく方向に湾曲している。このように、第二洗浄凸部２４２が中央部の湾曲面に設けられているため、衣類の襟や袖等の湾曲に沿って、この湾曲を押圧することで汚れを落としやすい。更に、側面を持つ際には、持ちやすく滑りにくい。この第二洗浄凸部２４２は、三角柱の長柄方向が底面８０と略平行となるように略同一の間隔で設けられている。このため、衣類に洗濯洗剤用容器２２０の右側面４０を押圧した状態で頂面７０方向又は底面８０方向に動かすと、第二洗浄凸部２４２の頂点が規則的に衣類を押圧することになり、容易に衣類の一部分をこすり洗いすることができる。このとき、右側面４０は正面３０の幅と比較して幅が狭いため、第二洗浄凸部２４２の長柄方向の長さは、第一洗浄凸部２３２の長柄方向の長さよりも短くなる。このため、同じ力で洗濯洗剤用容器２０を衣類に押圧した場合であっても、正面３０で押圧する場合と比較して、右側面４０で押圧した場合の方が、同じ力で押圧した場合であっても強く押圧されることになり、非力な女性が使用した場合であっても、頑固な汚れを落とすことができる。
【００４２】
洗濯洗剤用容器２２０の左側面５０は、頂面７０側から底面８０側まで、頂点が丸みを有する略三角形形状の断面を有する長柄状の三角柱形状の第三洗浄凸部２５２が設けられており、中央部は両側面が互いに近づく方向に湾曲している。このように、第三洗浄凸部２５２が中央部の湾曲面に設けられているため、衣類の襟や袖等の湾曲に沿って、この湾曲を押圧することで汚れを落としやすい。更に、側面を持つ際には、持ちやすく滑りにくい。この第三洗浄凸部２５２は、三角柱の長柄方向が底面８０と略平行となるように略同一の間隔で設けられている。このため、衣類に洗濯洗剤用容器２２０の左側面５０を押圧した状態で頂面７０方向又は底面８０方向に動かすと、第三洗浄凸部２５２の頂点が規則的に衣類を押圧することになり、容易に衣類の一部分をこすり洗いすることができる。このとき、左側面５０は正面３０の幅と比較して幅が狭いため、第三洗浄凸部２５２の長柄方向の長さは、第一洗浄凸部２３２の長柄方向の長さよりも短くなる。加えて、第二洗浄凸部２４２と比較して幅が狭く形成されているため、同じ力で洗濯洗剤用容器２２０を衣類に押圧した場合であっても、正面３０及び右側面４０で押圧する場合と比較して、左側面５０で押圧した場合の方が、より強く押圧されることになり、非力な女性が使用した場合であっても、頑固な汚れを容易に落とすことができる。
【００４３】
洗濯洗剤用容器２２０の背面６０は、上部は略球形の一部が表面方向に突出した形状であり、中央部は両側面が互いに近づく方向に湾曲して形成されている。また、上部には、中心部から同心円状に球状の球状洗浄凸部２６４が複数設けられており、下部には、中心が底面８０の方向に湾曲し、頂点が丸みを有する略三角形形状の断面を有する第四洗浄凸部２６２が、頂面７０側から底面８０側に向かって略等間隔に設けられている。このため、衣類に洗濯洗剤用容器２２０の正面３０を押圧した状態で頂面７０側から底面８０方向に動かすと、上部では、略球形の一部が表面方向に突出した形状を有しているため、正面３０を衣類に押圧した際、略球形の最も突出した部分に位置する球状洗浄凸部２６４が最も強く衣類に押圧されることになる。このため、力が球状部位の頂面付近に設けられた球状洗浄凸部２６４に集中することとなり、少ない労力で衣類の一点を洗浄することができる。このことは、特に叩き洗いを行う際に、洗浄効果が高い。一方、下部では、外側方向に湾曲した第四洗浄凸部２６２によって外側方向に押圧されることになるため、汚れを外側方向に押し出す形となり、優れた洗浄効果を期待することができる。
【００４４】
なお、洗濯洗剤用容器２２０の頂面７０及び底面８０は、洗濯洗剤用容器２０と同様であるため、ここでは説明を省略する。
【００４５】
以上詳述したように、洗濯洗剤用容器２２０の側面側である、正面３０、右側面４０、左側面５０及び背面６０には、それぞれ洗浄凸部である、第一洗浄凸部２３２、円状洗浄凸部２３４、第二洗浄凸部２４２、第三洗浄凸部２５２、球状洗浄凸部２６４及び第四洗浄凸部２６２が設けられており、これらの洗浄凸部が側面のそれぞれ全面にわたって設けられている。このとき、それぞれの洗浄凸部の形状が異なるため、場所によって、もみ洗い、たたき洗い、こすり洗いを可能とし、部分的に汚れた衣類の汚れを、効果的、かつ、迅速に落とすことができる。また、この効果は、靴下のつま先部やズボンの膝裏部等に洗濯洗剤用容器２２０を挿入した際、いずれの方向からも洗うことができるため、特に効果が大きい。
【００４６】
次に、本発明の第四の実施の形態の一例として、洗濯洗剤用容器３２０について説明する。洗濯洗剤用容器３２０は、図５に示すように、主に、複数の第一洗浄凸部３３２を有する正面３０と、複数の第二洗浄凸部３４２を有する右側面４０と、複数の第三洗浄凸部３５２を有する左側面５０と、複数の第四洗浄凸部３６２を有する背面６０と、出入口７２を有する頂面７０と、底面８０と、からなる。この洗濯洗剤用容器３２０は、それぞれの面に異なる洗浄凸部を有するため、もみ洗い、たたき洗い、こすり洗いを可能とし、部分的に汚れた衣類の汚れを、効果的、かつ、迅速に落とすことができる。なお、第一の実施の形態の一例である洗濯洗剤用容器２０と同様の部分については、同様の符号を付し、説明を省略する。
【００４７】
洗濯洗剤用容器３２０の正面３０は、頂面７０側から底面８０側まで、頂点が丸みを有する略三角形形状の断面を有する長柄状の三角柱形状の第一洗浄凸部３３２が設けられており、中央部は両側面が互いに近づく方向に湾曲している。この第一洗浄凸部３３２は、三角柱の長柄方向が底面８０と略平行となるように略同一の間隔で設けられている。このため、衣類に洗濯洗剤用容器３２０の正面３０を押圧した状態で頂面７０方向又は底面８０方向に動かすと、第一洗浄凸部３３２の頂点が規則的に衣類を押圧することになり、容易に衣類の一部分をこすり洗いすることができる。また、第一洗浄凸部３３２は、正面３０の四隅位置には設けられていない。こうすることにより、洗濯洗剤用容器３２０の全体の剛性を保つことができる。言い換えると、正面３０を衣類に押圧した際、洗濯洗剤用容器３２０が変形し、内部の洗濯洗剤が飛び出す可能性を未然に低減することができる。
【００４８】
洗濯洗剤用容器３２０の右側面４０は、頂面７０側から底面８０側まで、頂点が丸みを有する略三角形形状の断面を有する長柄状の三角柱形状の第二洗浄凸部３４２が設けられており、中央部は両側面が互いに近づく方向に湾曲している。このように、第二洗浄凸部３４２が中央部の湾曲面に設けられているため、衣類の襟や袖等の湾曲に沿って、この湾曲を押圧することで汚れを落としやすい。更に、側面を持つ際には、持ちやすく滑りにくい。この第二洗浄凸部３４２は、三角柱の長柄方向が底面８０と略平行となるように略同一の間隔で設けられている。このため、衣類に洗濯洗剤用容器３２０の右側面４０を押圧した状態で頂面７０方向又は底面８０方向に動かすと、第二洗浄凸部３４２の頂点が規則的に衣類を押圧することになり、容易に衣類の一部分をこすり洗いすることができる。このとき、右側面４０は正面３０の幅と比較して幅が狭いため、第二洗浄凸部３４２の長柄方向の長さは、第一洗浄凸部３３２の長柄方向の長さよりも短くなる。このため、同じ力で洗濯洗剤用容器３２０を衣類に押圧した場合であっても、正面３０で押圧する場合と比較して、右側面４０で押圧した場合の方が、同じ力で押圧した場合であっても強く押圧されることになり、非力な女性が使用した場合であっても、頑固な汚れを落とすことができる。また、右側面４０の頂面７０側及び底面８０側には、第二洗浄凸部３４２が設けられていない。こうすることにより、洗濯洗剤用容器３２０の全体の剛性を保つことができる。言い換えると、右側面４０を衣類に押圧した際、洗濯洗剤用容器３２０が変形し、内部の洗濯洗剤が飛び出す可能性を未然に低減することができる。
【００４９】
洗濯洗剤用容器３２０の左側面５０は、頂面７０側から底面８０側まで、頂点が丸みを有する略三角形形状の断面を有する長柄状の三角柱形状の第三洗浄凸部３５２が設けられており、中央部は両側面が互いに近づく方向に湾曲している。このように、第三洗浄凸部３５２が中央部の湾曲面に設けられているため、衣類の襟や袖等の湾曲に沿って、この湾曲を押圧することで汚れを落としやすい。更に、側面を持つ際には、持ちやすく滑りにくい。この第三洗浄凸部３５２は、三角柱の長柄方向が底面８０と略平行となるように略同一の間隔で設けられている。このため、衣類に洗濯洗剤用容器３２０の左側面５０を押圧した状態で頂面７０方向又は底面８０方向に動かすと、第三洗浄凸部３５２の頂点が規則的に衣類を押圧することになり、容易に衣類の一部分をこすり洗いすることができる。このとき、左側面５０は正面３０の幅と比較して幅が狭いため、第三洗浄凸部３５２の長柄方向の長さは、第一洗浄凸部３３２の長柄方向の長さよりも短くなる。このため、同じ力で洗濯洗剤用容器３２０を衣類に押圧した場合であっても、正面３０で押圧する場合と比較して、左側面５０で押圧した場合の方が、同じ力で押圧した場合であっても強く押圧されることになり、非力な女性が使用した場合であっても、頑固な汚れを落とすことができる。加えて、第三洗浄凸部３５２は、第二洗浄凸部３４２と比較して幅が狭く形成されているため、同じ力で洗濯洗剤用容器３２０を衣類に押圧した場合であっても、右側面４０で押圧する場合と比較して、左側面５０で押圧した場合の方が、より強く押圧されることになり、非力な女性が使用した場合であっても、頑固な汚れを容易に落とすことができる。また、左側面５０の頂面７０側及び底面８０側には、第三洗浄凸部３５２が設けられていない。こうすることにより、洗濯洗剤用容器３２０の全体の剛性を保つことができる。言い換えると、左側面５０を衣類に押圧した際、洗濯洗剤用容器３２０が変形し、内部の洗濯洗剤が飛び出す可能性を未然に低減することができる。
【００５０】
洗濯洗剤用容器３２０の背面６０は、頂面７０側から底面８０側まで、頂点が丸みを有する略三角形形状の断面を有する長柄状の三角柱形状の第四洗浄凸部３６２が設けられており、中央部は両側面が互いに近づく方向に湾曲している。この第四洗浄凸部３６２は、三角柱の長柄方向が底面８０と略平行となるように略同一の間隔で設けられている。このため、衣類に洗濯洗剤用容器３２０の背面６０を押圧した状態で頂面７０方向又は底面８０方向に動かすと、第四洗浄凸部３６２の頂点が規則的に衣類を押圧することになり、容易に衣類の一部分をこすり洗いすることができる。このとき、第四洗浄凸部３６２の幅は、第一洗浄凸部３３２の幅よりも太く形成されているため、同じ力で洗濯洗剤用容器３２０を衣類に押圧した場合であっても、正面３０を押圧した場合と比較して、優しく洗うことができる。また、第一洗浄凸部３３２は、背面６０の四隅位置には設けられていない。こうすることにより、洗濯洗剤用容器３２０の全体の剛性を保つことができる。言い換えると、背面６０を衣類に押圧した際、洗濯洗剤用容器３２０が変形し、内部の洗濯洗剤が飛び出す可能性を未然に低減することができる。
【００５１】
以上詳述したように、洗濯洗剤用容器３２０の側面側である、正面３０、右側面４０、左側面５０及び背面６０には、それぞれ洗浄凸部である、第一洗浄凸部３３２、第二洗浄凸部３４２、第三洗浄凸部３５２及び第四洗浄凸部３６２が設けられており、これらの洗浄凸部が側面のそれぞれの面の全面にわたって設けられ、四方側面の全面に設けられている。このため、側面のいずれの面でも洗浄することができ、かつ、衣類に押圧する押圧面を四方側面のいずれかに選択することで、選択する面によって、もみ洗い、たたき洗い、こすり洗いを可能とし、部分的に汚れた衣類の汚れを、効果的、かつ、迅速に落とすことができる。また、この効果は、靴下のつま先部やズボンの膝裏部等に洗濯洗剤用容器３２０を挿入した際、いずれの方向からも洗うことができるため、特に効果が大きい。
【００５２】
次に、本発明の第五の実施の形態の一例として、洗濯洗剤用容器４２０について説明する。洗濯洗剤用容器４２０は、図６に示すように、主に、正面３０と、右側面４０と、左側面５０と、背面６０と、出入口７２を有する頂面７０と、底面８０と、からなり、正面３０、右側面４０、左側面５０及び背面６０には、四方側面を一周する第一洗浄凸部４３２が設けられている。この洗濯洗剤用容器４２０は、四方側面を一周する第一洗浄凸部４３２が設けられているため、四方側面のいずれの方向からでも、もみ洗い、たたき洗い、こすり洗いを可能とし、部分的に汚れた衣類の汚れを、効果的、かつ、迅速に落とすことができる。なお、第一の実施の形態の一例である洗濯洗剤用容器２０と同様の部分については、同様の符号を付し、説明を省略する。
【００５３】
第一洗浄凸部４３２は、頂点が丸みを有し、略三角形形状の断面を有する長柄状に形成されており、三角柱の長柄方向が底面８０と略平行となるように略同一の間隔で設けられている。このため、衣類と洗濯洗剤用容器４２０のいずれかの側面とを互いに押圧した状態で頂面７０方向又は底面８０方向に動かすと、第一洗浄凸部４３２の頂点が規則的に衣類を押圧することになり、容易に衣類の一部分をこすり洗いすることができる。
【００５４】
また、洗濯洗剤用容器４２０の右側面４０及び左側面５０は、互いに中央部が互いに近づく方向に湾曲している。このように、第一洗浄凸部４３２が中央部の湾曲面に設けられているため、衣類の襟や袖等の湾曲に沿って、この湾曲を押圧することで汚れを落としやすい。更に、側面を持つ際には、持ちやすく滑りにくい。
【００５５】
以上詳述したように、洗濯洗剤用容器４２０の側面側である、正面３０、右側面４０、左側面５０及び背面６０には、側面方向に一周連なった第一洗浄凸部４３２が設けられている。このため、側面のいずれの面でも洗浄することがでる。また、この効果は、靴下のつま先部やズボンの膝裏部等に洗濯洗剤用容器４２０を挿入した際、いずれの方向からも洗うことができるため、特に効果が大きい。
【００５６】
次に、本発明の第六の実施の形態の一例として、洗濯洗剤用容器５２０について説明する。洗濯洗剤用容器５２０は、図７に示すように、主に、複数の第一洗浄凸部５３２を有する正面３０と、右側面４０と、左側面５０と、平らな面である背面６０と、出入口７２を有する頂面７０と、底面８０と、からなる。この洗濯洗剤用容器５２０は、正面３０に複数の第一洗浄凸部５３２を有しており、背面６０は平面に形成されているため、背面６０を設置面に積置した状態で、正面３０に衣類を押圧することで、もみ洗い、たたき洗い、こすり洗いを可能とし、部分的に汚れた衣類の汚れを、効果的、かつ、迅速に落とすことができる。なお、第一の実施の形態の一例である洗濯洗剤用容器２０と同様の部分については、同様の符号を付し、説明を省略する。
【００５７】
洗濯洗剤用容器５２０の正面３０は、頂面７０側から底面８０方向に、頂点が丸みを有する略三角形形状の断面を有する長柄状の三角柱形状の第一洗浄凸部５３２が設けられている。この第一洗浄凸部５３２は、三角柱の長柄方向が底面８０と略平行となるように略同一の間隔で、頂面７０側の半分の領域に設けられている。このため、衣類に洗濯洗剤用容器５２０の正面３０を押圧した状態で頂面７０方向又は底面８０方向に動かすと、第一洗浄凸部５３２の頂点が規則的に衣類を押圧することになり、容易に衣類の一部分をこすり洗いすることができる。
【００５８】
以上詳述したように、洗濯洗剤用容器５２０の正面３０の頂面７０側の半面に第一洗浄凸部５３２が設けられており、背面６０は平坦面に形成されている。このため、背面６０を設置面に積置し、正面３０に衣類を押圧することで、もみ洗い、たたき洗い、こすり洗いを可能とし、部分的に汚れた衣類の汚れを、効果的、かつ、迅速に落とすことができる。
【００５９】
次に、本発明の第七の実施の形態の一例として、洗濯洗剤用容器６２０について説明する。洗濯洗剤用容器６２０は、図８に示すように、主に、第一洗浄凸部６３２及び複数の第二洗浄凸部６４２を有する正面３０及び背面６０と、複数の第三洗浄凸部５２を有する右側面４０及び左側面５０と、出入口７２を有する頂面７０と、底面８０と、からなる。この洗濯洗剤用容器６２０において、正面３０及び背面６０には、頂面７０側から底面８０側方向に直線状の第一洗浄凸部６３２が設けられており、この第一洗浄凸部６３２の右側面４０及び左側面５０方向に複数の第二洗浄凸部６４２が第一洗浄凸部６３２と一端側が連接した状態で設けられている。このとき、第二洗浄凸部６４２は、第一洗浄凸部６３２から離れるにつれて頂面７０に近づく方向に傾いた状態であって、直線状で、かつ、互いに略平行に設けられている。このため、正面３０又は背面６０を衣類に押圧して底面８０方向に動かした場合には、第二洗浄凸部６４２によって、衣類に対して中心から外側方向に押圧するように力がかかるため、衣類の汚れが外側方向に押し出され、衣類の汚れを、効果的、かつ、迅速に落とすことができる。また、隣り合うそれぞれの第二洗浄凸部６４２の間隔は、頂面７０側が狭く、底面８０側が広く、２種類の間隔で形成されている。こうすることにより、衣類の汚れの度合いや衣類の厚さに応じて頂面７０側又は底面８０側を使い分けることができるため、衣類の汚れの度合いや衣類の厚さにかかわらず、衣類の汚れを、効果的、かつ、迅速に落とすことができる。なお、背面６０も正面３０と同様であるため、同様の効果が得られる。また、第一の実施の形態の一例である洗濯洗剤用容器２０と同様の部分については、同様の符号を付し、説明を省略する。
【００６０】
このとき、第一洗浄凸部６３２及び第二洗浄凸部６４２の内側面は、第一洗浄凸部６３２及び第二洗浄凸部６４２と同様の形状に形成されている。このため、内側面を基準に考えると、第一洗浄凸部６３２及び第二洗浄凸部６４２と同様の形状に溝を有しているともいえる。このため、内容量が少なくなった状態で、頂面７０を下側に向けて洗濯洗剤用容器６２０を静置すると、第二洗浄凸部６４２の形状に沿って内容物が第一洗浄凸部６３２の方向に重力によって導かれ、第一洗浄凸部６３２の形状に沿って出入口７２方向に重力によって導かれることになる。こうすることにより、内容物の粘性が高い場合であっても、第一洗浄凸部６３２及び第二洗浄凸部６４２の形状に沿って出入口７２方向に内容物が導かれることになるため、内部に残留する内容物の量を低減することができる。
【００６１】
以上詳述したように、洗濯洗剤用容器６２０の正面３０及び背面６０には頂面７０から底面８０方向に形成された第一洗浄凸部６３２と、第一洗浄凸部６３２と一端側が連接し、葉脈状に右側面４０又は左側面５０方向に斜め方向（第一洗浄凸部６３２から遠ざかるにつれて頂面７０に近づく方向）に第二洗浄凸部６４２が設けられているため、正面３０又は背面６０を衣類に押圧して底面８０方向に動かした場合には、第二洗浄凸部６４２によって、衣類に対して中心から外側方向に押圧するように力がかかるため、衣類の汚れが外側方向に押し出され、衣類の汚れを、効果的、かつ、迅速に落とすことができる。また、第一洗浄凸部６３２及び第二洗浄凸部６４２の内側面は、第一洗浄凸部６３２及び第二洗浄凸部６４２と同様の溝状に形成されているため、頂面７０を下側に向けて洗濯洗剤用容器６２０を静置すると、第一洗浄凸部６３２及び第二洗浄凸部６４２の形状に沿って内容物が出入口７２方向に導かれ、内部に残留する内容物の量を低減することができる。加えて、例えば、ブロー成形で第一洗浄凸部６３２及び第二洗浄凸部６４２を成形した場合には、成形過程において、第一洗浄凸部６３２及び第二洗浄凸部６４２と同様の形状に内側面が凹むことになる。このような場合、内容物の粘性が高いと、内容物が内側面の凹みに溜まってしまう可能性がある。しかしながら、このように第一洗浄凸部６３２及び第二洗浄凸部６４２を形成することにより、頂面７０を下側に向けて洗濯洗剤用容器６２０を静置することで、内容物が出入口７２方向に導かれ、内側面の凹みに溜まる量を低減する事ができる。言い換えると、第一洗浄凸部６３２と第二洗浄凸部６４２をブロー成形で成形することにより、衣類の高い洗浄効果と残留する内容物の低減効果とを同時に得ることができる。
【００６２】
次に、本発明の第八の実施の形態の一例として、洗濯洗剤用容器７２０について説明する。洗濯洗剤用容器７２０は、図９に示すように、主に、頂面７０側から底面８０側方向に直線状の第一洗浄凸部６３２が正面３０及び背面６０にそれぞれ設けられており、この第一洗浄凸部６３２と一端側が連接する第二洗浄凸部６４２が正面３０又は背面６０から右側面４０及び左側面５０方向にそれぞれ形成されている。具体的には、右側面４０及び左側面５０は、正面３０及び背面６０から離れるに従って細く湾曲して形成されており、この湾曲面に沿って第二洗浄凸部６４２が形成されている。すなわち、洗濯洗剤用容器７２０の全体形状として、右側面４０及び左側面５０側がそれぞれ細く形成され、第一洗浄凸部６３２が形成されている部分が最も太くなるように形成されている。このとき、第二洗浄凸部６４２は、第一洗浄凸部６３２から離れるにつれて頂面７０に近づく方向に傾いた状態であって、直線状で、かつ、互いに略平行に設けられている。このため、正面３０又は背面６０を衣類に押圧して底面８０方向に動かした場合には、第二洗浄凸部６４２によって、衣類に対して中心から外側方向に押圧するように力がかかるため、衣類の汚れが外側方向に押し出され、衣類の汚れを、効果的、かつ、迅速に落とすことができる。なお、背面６０も正面３０と同様であるため、同様の効果が得られる。また、第一の実施の形態の一例である洗濯洗剤用容器２０と同様の部分については、同様の符号を付し、説明を省略する。
【００６３】
以上詳述したように、洗濯洗剤用容器７２０の正面３０及び背面６０には頂面７０から底面８０方向に形成された第一洗浄凸部６３２と、第一洗浄凸部６３２と一端側が連接し、葉脈状に右側面４０又は左側面５０方向に斜め方向（第一洗浄凸部６３２から遠ざかるにつれて頂面７０に近づく方向）に第二洗浄凸部６４２が設けられているため、正面３０又は背面６０を衣類に押圧して底面８０方向に動かした場合には、第二洗浄凸部６４２によって、衣類に対して中心から外側方向に押圧するように力がかかるため、衣類の汚れが外側方向に押し出され、衣類の汚れを、効果的、かつ、迅速に落とすことができる。また、第一洗浄凸部６３２及び第二洗浄凸部６４２の内側面は、第一洗浄凸部６３２及び第二洗浄凸部６４２と同様の溝状に形成されているため、頂面７０を下側に向けて洗濯洗剤用容器７２０を静置すると、第一洗浄凸部６３２及び第二洗浄凸部６４２の形状に沿って内容物が出入口７２方向に導かれ、内部に残留する内容物の量を低減することができる。加えて、例えば、ブロー成形で第一洗浄凸部６３２及び第二洗浄凸部６４２を成形した場合には、成形過程において、第一洗浄凸部６３２及び第二洗浄凸部６４２と同様の形状に内側面が凹むことになる。このような場合、内容物の粘性が高いと、内容物が内側面の凹みに溜まってしまう可能性がある。しかしながら、このように第一洗浄凸部６３２及び第二洗浄凸部６４２を形成することにより、頂面７０を下側に向けて洗濯洗剤用容器７２０を静置することで、内容物が出入口７２方向に導かれ、内側面の凹みに溜まる量を低減する事ができる。言い換えると、第一洗浄凸部６３２と第二洗浄凸部６４２をブロー成形で成形することにより、衣類の高い洗浄効果と残留する内容物の低減効果とを同時に得ることができる。
【００６４】
最後に、この洗濯洗剤用容器２０を用いて衣類を洗濯する洗濯方法について説明する。第一の洗濯方法としては、まず、洗濯洗剤用容器２０の内蓋及び外蓋、洗濯補助部材９０を外し、衣類の汚れた部分に、洗濯洗剤用容器２０の中に封入された洗剤を付けた後、再び内蓋及び洗濯補助部材９０を締める。次に、片側の手に持った洗濯洗剤用容器２０に設けたいずれかの洗浄凸部を衣類の汚れた部分の裏側から押し当てる。最後に、もう一方の手で、衣類の表側の汚れ部分を洗濯洗剤用容器２０に設けたいずれかの洗浄凸部に押し当てながら、もみ洗い、叩き洗い、こすり洗い等の洗濯作業を行う。このとき、洗濯洗剤用容器２０に設けたいずれかの洗浄凸部を汚れに直接押し当てて、もみ洗い、叩き洗い、こすり洗い等の洗濯作業を行っても良い。こうすることにより、洗濯洗剤用容器２０を用いて容易に衣類の汚れを落とすことができる。
【００６５】
また、第二の洗濯方法として、まず、洗濯洗剤用容器２０の内蓋及び外蓋、洗濯補助部材９０を外し、衣類の肘の部分に、洗濯洗剤用容器２０の中に封入された洗剤を付けた後、再び内蓋及び洗濯補助部材９０を締める。次に、片側の手に持った洗濯洗剤用容器２０を袖口から内側に挿入し、衣類の汚れた部分の裏側から押し当てる。最後に、もう一方の手で、衣類の表側の汚れ部分を洗濯洗剤用容器２０に設けたいずれかの洗浄凸部に押し当てながら、もみ洗い、叩き洗い、こすり洗い等の洗濯作業を行う。こうすることにより、肘の部分のように狭い領域に対しても、洗濯洗剤用容器２０を用いて容易に衣類の汚れを落とすことができる。
【００６６】
更に、第三の洗濯方法としては、まず、洗濯洗剤用容器２０の内蓋及び外蓋、洗濯補助部材９０を外し、衣類の汚れた部分に、洗濯洗剤用容器２０の中に封入された洗剤を付けた後、再び内蓋及び洗濯補助部材９０を締める。次に、片側の手に持った洗濯洗剤用容器２０に設けたいずれかの洗浄凸部を衣類の汚れた部分の裏側から押し当てる。最後に、もう一方の手に洗濯補助部材９０を持ち、洗浄凸部９６を衣類の汚れた表面に押し当てながら、もみ洗い、叩き洗い、こすり洗い等の洗濯作業を行う。こうすることにより、洗濯洗剤用容器２０及び洗濯補助部材９０を用いて、容易に衣類の汚れを落とすことができる。
【００６７】
更にまた、第四の洗濯方法としては、洗濯洗剤用容器５２０の内蓋及び外蓋、洗濯補助部材９０を外し、衣類の汚れた部分に、洗濯洗剤用容器２０の中に封入された洗剤を付けた後、再び内蓋及び洗濯補助部材９０を締める。次に、洗濯洗剤用容器５２０の背面６０を下側にして設置面に積置し、正面３０に衣類の汚れた表面を押し当てながら、もみ洗い、叩き洗い、こすり洗い等の洗濯作業を行う。こうすることにより、洗濯洗剤用容器５２０を用いて、容易に衣類の汚れを落とすことができる。
【００６８】
以上詳述された実施の形態の洗濯洗剤用容器２０は、正面３０、右側面４０、左側面５０及び背面６０の四面に洗浄凸部が設けられているため、洗濯洗剤用容器２０のいずれの側面を用いても側面と衣類等とを押圧して洗濯することができる。この効果は、特に、洗濯洗剤用容器２０を積置した状態で使用する場合に、効果が大きい。例えば、ズボンの内側の膝裏部分に積置したり、靴下のつま先部分に挿入したりすることにより、洗濯洗剤用容器にズボンや靴下等の衣類を押圧して使用することもできる。言い換えると、洗濯洗剤用容器を衣類の内側から側面のいずれの方向であっても押圧することができるため、洗濯洗剤用容器２０以外のいかなるものも必要とすること無く、どんな場所であっても、もみ洗いや叩き洗いがし易い。
【００６９】
また、洗濯洗剤用容器２０は、複数の第一洗浄凸部３２と、第一洗浄凸部と異なる形状及び大きさを有する第二洗浄凸部４２を有しているため、衣類の種類や形状、厚み、場所、汚れ度合い等によって第一洗浄凸部３２と第二洗浄凸部４２とを使い分けて洗浄することができる。言い換えると、衣類の生地の種類や形状、厚み、場所、汚れ度合い等によって最適な洗浄凸部を用いて衣類を洗濯することができる。加えて、第一洗浄凸部３２及び第二洗浄凸部４２は、側面に設けられているため、洗濯洗剤用容器の蓋部や頂面に設けられている場合と比較して、広範囲な部分を用いて衣類を洗濯することができる。
【００７０】
更に、洗濯洗剤用容器２０は、頂点が丸みを有する略三角形形状の断面を有する長柄状の三角柱形状であって、三角柱の長柄方向が底面８０と略平行となるように設けられた第一洗浄凸部３２を備えているため、衣類と洗濯洗剤用容器２０の正面３０とが押圧された状態で頂面７０方向又は底面８０方向に動かすと、第一洗浄凸部３２の頂点が規則的に衣類を押圧することになり、容易に衣類の一部分をこすり洗いすることができる。
【００７１】
更にまた、洗濯洗剤用容器２０は、右側面４０及び左側面５０の中央部は両側面が互いに近づく方向に湾曲しているため、この湾曲部を襟等の衣類と湾曲した部分とを互いに押圧することで、衣類の形状に沿って第二洗浄凸部４２又は第三洗浄凸部５２を衣類に押圧することができる。また、洗濯洗剤用容器２０を持つ際に、この湾曲部を持つことで、持ちやすい。
【００７２】
そして、洗濯洗剤用容器２０は、略球形の一部が表面方向に突出した形状を有する球状部位３１を有しているため、球状部位３１の頂点付近が最も強く衣類に押圧されることなる。このため、力が球面洗浄凸部３３の球状部位３１の頂点付近に集中することとなり、少ない労力で衣類の一点を洗濯することができる。
【００７３】
そしてまた、洗濯洗剤用容器２０は、出入口７２の内蓋を内側にはめ込み、外蓋を螺合することにより洗濯洗剤を封入しているため、洗濯洗剤用容器２０と衣類とが互いに押圧され、激しく動かした場合であっても、洗濯洗剤用容器２０の中に封入された洗濯洗剤が洗濯洗剤用容器２０の外に飛散する可能性を未然に低減することができる。
【００７４】
そして更に、洗濯洗剤用容器２０の出入口７２には、洗濯補助部材９０が取り付けられているため、洗濯補助部材９０を取り外し、洗濯洗剤用容器２０と洗濯補助部材９０とで衣類を挟むことで、洗濯洗剤用容器２０に設けられた第一洗浄凸部３２と洗濯補助部材９０の洗浄凸部９６とで衣類を押圧し、より洗浄効果を高めることができる。
【００７５】
そして更にまた、洗濯洗剤用容器２２０は、中心部から同心円状に球状の球状洗浄凸部２６４が複数設けられているため、洗濯洗剤用容器２２０の背面６０に衣類を押圧することにより叩き洗いに適する。
【００７６】
加えて、洗濯洗剤用容器３２０は、正面３０及び背面６０の四隅や、右側面４０及び左側面５０の頂面７０側及び底面８０側には、第三洗浄凸部３５２が設けられていないため、洗濯洗剤用容器３２０の全体の剛性を保つことができる。言い換えると、左側面５０と衣類とが互いに押圧された際、洗濯洗剤用容器３２０が変形し、内部の洗濯洗剤が飛び出す可能性を未然に低減することができる。
【００７７】
加えてまた、洗濯洗剤用容器４２０は、側面方向に一周連なった第一洗浄凸部４３２が設けられているため、側面のいずれの面でも洗浄することができる。
【００７８】
なお、本発明は上述した実施の形態に何ら限定されることはなく、本発明の技術的範囲に属する限り種々の態様で実施し得ることはいうまでもない。
【００７９】
例えば、上述した実施の形態において、洗浄凸部は、頂点が丸みを有する略三角形形状の断面を有する長柄状の三角柱形状であるものとしたが、この形状に限定されるものではなく、例えば、頂点が尖った略三角形状の断面を有していても良いし、略四角形形状であっても良いし、略台形形状であっても良いし、略半円形状であってもよいし、略楕円形状であっても良いし、上述したいずれかの形状に凹む凹部であってもよい。いずれの場合であっても、側面に設けられた凹凸の形状にかかわらず、上述した実施の形態と同様の効果を得ることができる。但し、衣類と当接する頂点部分については、鋭角な形状では無く、丸みを帯びている形状がより好ましい。こうすることで、洗濯の際に一点に大きな力がかかり、衣類が破損する可能性を未然に低減することができる。
【００８０】
上述した実施の形態において、洗浄凸部は、三角柱の長柄方向が底面８０と略平行となるように略同一の間隔で設けられているものであるか、又は、互いに等間隔で同心円状に設けられているものとしたが、配置方法はこれに限定されるものではなく、例えば、底面８０と略直角となるように設けられていても良いし、底面８０に対して斜めの位置関係となるように設けられていても良いし、渦巻き状に設けられていても良いし、円列状や楕円列状であっても良いし、格子状に設けられていても良い。また、隣接する洗浄凸部同士の間隔は、略同一であっても良いし、規則性を有していても良いし、全て異なっていても、一部のみ異なっていても良い。いずれの場合であっても、上述した実施の形態と同様の効果が得られる。
【００８１】
上述した実施の形態において、洗浄凸部は、全ての側面に設けられているものとしたが、洗浄凸部は、必ずしも全ての側面に設けられている必要は無く、例えば、側面のうちの一面だけでも良いし、対向する二面又は隣接する二面に設けられていても良いし、側面のうちの三面に設けられていても良い。いずれの場合であっても、上述した実施の形態と同様の効果が得られる。また、洗浄凸部の大きさは、例えば、高さ又は幅が１ミリメートル以上１５ミリメートル以下であってもよいし、３ミリメートル以上１０ミリメートル以下であっても良い。また、高さと幅は同一であっても良いし、異なっていても良い。いずれの場合であっても、上述した実施の形態と同様の効果が得られる。
【００８２】
上述した実施の形態において、洗濯洗剤用容器２０の側面側である、正面３０、右側面４０、左側面５０及び背面６０には、それぞれ洗浄凸部である、球面洗浄凸部３３，第一洗浄凸部３２、第二洗浄凸部４２、第三洗浄凸部５２、第四洗浄凸部６２及び第五洗浄凸部６４が設けられており、これらの洗浄凸部が側面に占める割合が７０％としたが、この割合は７０％に限定されるものではなく、１５％以上９５％以下であってもよいし、５０％以上９０％以下であってもよいし、７０％以上９０％以下であっても良い。いずれの場合であっても、洗濯洗剤用容器２０の強度を十分に保ちつつ、洗濯をするために必要な十分な広さの洗浄凸部をそなえることができる。
【産業上の利用可能性】
【００８３】
上述した実施の形態で示すように、包装分野、特に、部分洗い機能を有する洗剤用容器として利用することができる。
【符号の説明】
【００８４】
２０…洗濯洗剤用容器、３０…正面、３１…球状部位、３２…第一洗浄凸部、３３…球面洗浄凸部、３４…凹部、４０…右側面、４２…第二洗浄凸部、５０…左側面、５２…第三洗浄凸部、６０…背面、６２…第四洗浄凸部、６４…第五洗浄凸部、７０…頂面、７２…出入口、８０…底面、９０…洗濯補助部材、９２…胴体部、９４…頂上部、９６…洗浄凸部、１２０…洗濯洗剤用容器、１３２…第一洗浄凸部、１４２…第二洗浄凸部、１５２…第三洗浄凸部、１６２…第四洗浄凸部、１６４…第五洗浄凸部、１９０…洗濯補助部材、１９４…頂上部、１９６…洗浄凸部、２２０…洗濯洗剤用容器、２３２…第一洗浄凸部、２３４…円状洗浄凸部、２４２…第二洗浄凸部、２５２…第三洗浄凸部、２６２…第四洗浄凸部、２６４…球状洗浄凸部、２９０…洗濯補助部材、２９４…頂上部、２９６…蓋側洗浄凸部、３２０…洗濯洗剤用容器、３３２…第一洗浄凸部、３４２…第二洗浄凸部、３５２…第三洗浄凸部、３６２…第四洗浄凸部、３９０…洗濯補助部材、３９４…頂上部、３９６…洗浄凸部、３９８…洗浄凸部、４２０…洗濯洗剤用容器、４３２…第一洗浄凸部、５２０…洗濯洗剤用容器、５３２…第一洗浄凸部、６２０…洗濯洗剤用容器、６３２…第一洗浄凸部、６４２…第二洗浄凸部、７２０…洗濯洗剤用容器。
【図１】
2016175703.tif 000003
【図２】
2016175703.tif 000004
【図３】
2016175703.tif 000005
【図４】
2016175703.tif 000006
【図５】
2016175703.tif 000007
【図６】
2016175703.tif 000008
【図７】
2016175703.tif 000009
【図８】
2016175703.tif 000010
【図９】
2016175703.tif 000011